(57)【特許請求の範囲】
【請求項１】
記録媒体が排出される記録媒体排出口と、
前記記録媒体排出口から排出される前記記録媒体を裁断するカッタと、
光を発する発光部及び前記発光部によって発せられた光を受ける受光部を備え、前記記録媒体排出口にある記録媒体が持ち上げられたかを検知可能に設けられた記録媒体検知部と、
前記記録媒体検知部の検知結果に基づいて、前記カッタに前記記録媒体を裁断させる制御部と、を備え、
前記発光部及び前記受光部は、一方が前記記録媒体排出口の左側、他方が前記記録媒体排出口の右側に設けられ、前記発光部から前記受光部に向かう光の光軸が、前記記録媒体排出口の左右の幅方向に対して上下方向に傾くように配置される、
画像形成装置。
【請求項２】
前記記録媒体排出口は、その範囲が上下に二分され、前記記録媒体検知部が配置された範囲である検知部と前記記録媒体が退避可能な範囲である退避部とを備え、
前記記録媒体検知部は、前記記録媒体が前記検知部にあるか前記退避部にあるかによって、前記記録媒体が持ち上げられたか否かを検知可能に設けられた、
請求項１記載の画像形成装置。
【請求項３】
前記記録媒体排出口は、
前記退避部が上、前記検知部が下にそれぞれ設けられ、
前記発光部及び前記受光部は、
一方が前記記録媒体排出口の前記検知部の左側、他方が前記検知部の右側に設けられる、
請求項２記載の画像形成装置。
【請求項４】
前記制御部は、
前記受光部が前記発光部によって発せられた光を受けない間は前記記録媒体を裁断させず、
前記受光部が前記発光部によって発せられた光を受けた場合に前記記録媒体を裁断させる、
請求項３記載の画像形成装置。
【請求項５】
前記記録媒体排出口は、
前記退避部が下、前記検知部が上にそれぞれ設けられ、
前記発光部及び前記受光部は、
一方が前記記録媒体排出口の前記検知部の左側、他方が前記検知部の右側に設けられる、
請求項２記載の画像形成装置。
【請求項６】
前記制御部は、
前記受光部が前記発光部によって発せられた光を受けている間は前記記録媒体を裁断させず、
前記受光部が前記発光部によって発せられた光を受けなくなった場合に前記記録媒体を裁断させる、
請求項５記載の画像形成装置。
【発明の詳細な説明】
【技術分野】
【０００１】
本発明の実施形態は、画像形成装置に関する。
【背景技術】
【０００２】
ロール状に巻かれた連続紙に画像形成する画像形成装置は、画像形成後に記録媒体を裁断する必要がある。
【０００３】
しかし、画像形成後に直ちに記録媒体を裁断すると、裁断された記録媒体はオペレータが手に取る前に落下してしまう。
【０００４】
そこで、画像形成された記録媒体の裁断の際に一部を裁断せずに残し、オペレータは記録媒体を引きちぎって手に取る画像形成装置が提案されている。
【０００５】
しかし、この画像形成装置においては、裁断面の端部に引きちぎられた跡が残り、見た目が美しくない。
【０００６】
また、画像形成された記録媒体を完全に裁断するとともに、裁断された記録媒体を把持する把持機構を具備する画像形成装置も提案されている。
【０００７】
しかし、この画像形成装置においては把持機構の分だけ製造コストが上昇してしまう。
【先行技術文献】
【特許文献】
【０００８】
【特許文献１】特開２００８−２３８７４５号公報
【発明の概要】
【発明が解決しようとする課題】
【０００９】
従って、画像形成された記録媒体を裁断する際に裁断された記録媒体が落下せず、安価に製造することが可能な画像形成装置が求められている。
【課題を解決するための手段】
【００１０】
上記の課題を達成するために、本発明の一実施形態は、記録媒体が排出される記録媒体排出口と、記録媒体排出口から排出される記録媒体を裁断するカッタと、光を発する発光部及び発光部によって発せられた光を受ける受光部を備え、記録媒体排出口にある記録媒体が持ち上げられたかを検知可能に設けられた記録媒体検知部と、記録媒体検知部の検知結果に基づいて、カッタに記録媒体を裁断させる制御部と、を備え、発光部及び受光部は、一方が記録媒体排出口の左側、他方が記録媒体排出口の右側に設けられ、発光部から受光部に向かう光の光軸が、記録媒体排出口の左右の幅方向に対して上下方向に傾くように配置される画像形成装置を提供する。
【図面の簡単な説明】
【００１１】
【図１】画像形成装置の構成を示す図である。
【図２】画像形成装置の図１におけるＡ矢視図である。
【図３】記録媒体が検知部に排出された様子を示す図である。
【図４】記録媒体が退避部に持ち上げられた状態を示す図である。
【図５】画像形成装置の構成を示すブロック図である。
【図６】画像形成装置の動作を示すフローチャートである。
【図７】画像形成装置の構成を示す図である。
【図８】画像形成装置の図７におけるＡ矢視図である。
【図９】記録媒体が退避部に排出された様子を示す図である。
【図１０】記録媒体が検知部に持ち上げられた状態を示す図である。
【図１１】画像形成装置の動作を示すフローチャートである。
【発明を実施するための形態】
【００１２】
以下、画像形成装置の一実施形態について、図面を用いて詳細に説明する。
【００１３】
本実施形態の画像形成装置は、ロール状に巻かれた記録媒体の有無を検知するセンサと、記録媒体に画像形成するヘッドと、ヘッドの記録媒体搬送路を挟み、対抗する位置に配置されるプラテンと、画像形成された記録媒体を裁断するカッタと、記録媒体を排出する記録媒体排出口に、記録媒体を退避させる退避部を上下方向いずれか一方に残し、記録媒体を検知する記録媒体検知部と、記録媒体検知部の出力に基づいてカッタを駆動させる制御部と、を備える。
【００１４】
（第１の実施形態）
図１は、画像形成装置１の構成を示す図である。図１に示すように、画像形成装置１は、ロール状に巻かれた記録媒体１０の有無を検知するセンサ１１と、記録媒体１０に画像形成するヘッド１３と、ヘッド１３の記録媒体搬送路を挟み、対抗する位置に配置されるプラテン１４と、画像形成された記録媒体１０を裁断するカッタ１５と、記録媒体排出口１６に記録媒体１０を退避させる退避部を上方に残し、光軸が斜めに記録媒体排出口１６を横切るように配置される記録媒体検知部である光センサ１７と、光センサ１７の出力に基づいてカッタ１５を駆動させる制御部１８と、を備える。
【００１５】
記録媒体１０は、センサ１１、ヘッド１３、カッタ１５、および記録媒体排出口１６に至る記録媒体搬送路にそって搬送される。
【００１６】
プラテン１４は回転することによって記録媒体１０を搬送する。ヘッド１３は、搬送される記録媒体１０に順次画像形成する。
【００１７】
画像形成された記録媒体１０は裁断位置まで搬送されると、画像形成装置１は待機状態となる。
【００１８】
光センサ１７は、発光部１７Ａと、受光部１７Ｂと、を備える。受光部１７Ｂは、発光部１７Ａが照射する光を受光している間ＯＮ信号を、受光しなくなった場合にＯＦＦ信号を出力する。
【００１９】
図２は、画像形成装置１の図１におけるＡ矢視図である。図２に示すように、画像形成装置１は、記録媒体１０を退避させる退避部Ｈ２を上方に残して、光軸１７Ｃが斜めに記録媒体排出口１６を横切るように、記録媒体排出口１６の幅方向両側に発光部１７Ａ及び受光部１７Ｂを備える。
【００２０】
画像形成装置１は、記録媒体１０が記録媒体排出口１６から記録媒体１０を光センサ１７が検知する範囲である検知部Ｈ１に排出されると記録媒体１０によって光軸１７Ｃが遮られるため、受光部１７ＢからＯＦＦ信号を受信する。
【００２１】
画像形成装置１は、受光部１７ＢからＯＦＦ信号を受信している場合には、カッタ１５を動作させず、また、後続する画像形成も行なわずに待機状態となる。
【００２２】
画像形成装置１は、記録媒体１０がオペレータによって退避部Ｈ２に持ち上げられて退避されると受光部１７Ｂは発光部１７Ａの照射光を受光するため、受光部１７ＢからＯＮ信号を受信する。
【００２３】
画像形成装置１は、受光部１７ＢからＯＮ信号を受信すると、まずカッタを動作させて記録媒体１０を裁断し、次いで後続する画像形成を行う。
【００２４】
従って、画像形成装置１がカッタ１５を動作させる際には記録媒体１０はオペレータによって把持されているため、裁断された記録媒体１０は落下することはない。
【００２５】
図３は、記録媒体１０が検知部Ｈ１に排出された様子を示す図である。図３に示すように、記録媒体１０は光軸１７Ｃを遮るため、受光部１７ＢはＯＦＦ信号を出力する。
【００２６】
画像形成装置１の制御部１８は、受光部１７ＢからＯＦＦ信号を受信している間はカッタ１５を駆動させず、また後続する画像形成を行なわずに待機状態となる。
【００２７】
図４は、記録媒体１０が退避部Ｈ２に持ち上げられた状態を示す図である。図４に示すように、記録媒体１０は光軸１７Ｃを遮らないため、受光部１７Ｂは発光部１７Ａの照射光を受光し、ＯＮ信号を出力する。
【００２８】
画像形成装置１の制御部１８は、受光部１７ＢからＯＮ信号を受信すると、カッタ１５を駆動させるカッタ駆動部２０５を駆動させてカッタ１５によって記録媒体１０を裁断する。次いで、画像形成装置１の制御部１８は後続する画像形成を行う。
【００２９】
図５は、画像形成装置１の構成を示すブロック図である。図５に示すように、画像形成装置１は、演算装置であるＣＰＵ（ｃｅｎｔｒａｌ  ｐｒｏｃｅｓｓｉｎｇ  ｕｎｉｔ）を含む制御部１８と、メモリ、ハードディスクドライブなどの記憶装置を含む記憶部２０２と、ヘッド１３などを含む画像形成部２０３と、プラテン１４などの記録媒体１０を搬送させる搬送機構を含む駆動部２０４と、カッタ１５を駆動させるカッタ駆動部２０５と、検知部Ｈ１にある記録媒体１０を検知する光センサ１７と、を備える。
【００３０】
光センサ１７は、発光部１７Ａと、受光部１７Ｂと、を備える。
【００３１】
図６は、画像形成装置１の動作を示すフローチャートである。図６に示すように、画像形成装置１は制御部１８によって以下のように動作する。
【００３２】
ステップ６０１において、画像形成装置１は記録媒体１０に画像形成する。
【００３３】
ステップ６０２において、画像形成装置１は、光センサ１７がＯＮ、すなわち受光部１７Ｂの出力がＯＮ信号であるかを判定する。画像形成装置１は、受光部１７Ｂの出力がＯＮ信号であると判定した場合、ステップ６０３に進み、ＯＮ信号であると判定しない場合、ステップ６０２に戻る。
【００３４】
ステップ６０３において、画像形成装置１はカッタ駆動部２０５を駆動させることによりカッタ１５を駆動させて記録媒体１０を裁断する。
【００３５】
ステップ６０４において、画像形成装置１は後続する画像形成を行うべき次のページがあるかを判定する。画像形成装置１は、後続する画像形成を行うべき次のページがあると判定した場合、ステップ６０１に戻り、次のページがあると判定しない場合、動作を終了する。
【００３６】
（第２の実施形態）
図７は、画像形成装置１の構成を示す図である。図７に示すように、画像形成装置１は、ロール状に巻かれた記録媒体１０の有無を検知するセンサ１１と、記録媒体１０に画像形成するヘッド１３と、ヘッド１３の記録媒体搬送路を挟み、対抗する位置に配置されるプラテン１４と、画像形成された記録媒体１０を裁断するカッタ１５と、記録媒体排出口１６に記録媒体１０を退避させる退避部を下方に残し、光軸が斜めに記録媒体排出口１６を横切るように配置される記録媒体検知部である光センサ１７と、光センサ１７の出力に基づいてカッタ１５を駆動させる制御部１８と、を備える。
【００３７】
記録媒体１０は、センサ１１、ヘッド１３、カッタ１５、および記録媒体排出口１６に至る記録媒体搬送路にそって搬送される。
【００３８】
プラテン１４は回転することによって記録媒体１０を搬送する。ヘッド１３は、搬送される記録媒体１０に順次画像形成する。
【００３９】
画像形成された記録媒体１０は裁断位置まで搬送されると、画像形成装置１は待機状態となる。
【００４０】
光センサ１７は、発光部１７Ａと、受光部１７Ｂと、を備える。受光部１７Ｂは、発光部１７Ａが照射する光を受光している間ＯＮ信号を、受光しなくなった場合にＯＦＦ信号を出力する。
【００４１】
図８は、画像形成装置１の図７におけるＡ矢視図である。図８に示すように、画像形成装置１は、記録媒体１０を退避させる退避部Ｈ４を下方に残して、光軸１７Ｃが斜めに記録媒体排出口１６を横切るように、記録媒体排出口１６の幅方向両側に発光部１７Ａ及び受光部１７Ｂを備える。
【００４２】
画像形成装置１は、記録媒体１０が記録媒体排出口１６から記録媒体１０を光センサ１７が検知しない範囲である退避部Ｈ４に排出されると記録媒体１０によって光軸１７Ｃが遮られないため、受光部１７ＢからＯＮ信号を受信する。
【００４３】
画像形成装置１は、受光部１７ＢからＯＮ信号を受信している場合には、カッタ１５を動作させず、また、後続する画像形成も行なわずに待機状態となる。
【００４４】
画像形成装置１は、記録媒体１０がオペレータによって検知部Ｈ３に持ち上げられると記録媒体１０によって光軸１７Ｃが遮られ、受光部１７Ｂは発光部１７Ａの照射光を受光しないため、受光部１７ＢからＯＦＦ信号を受信する。
【００４５】
画像形成装置１は、受光部１７ＢからＯＦＦ信号を受信すると、まずカッタを動作させて記録媒体１０を裁断し、次いで後続する画像形成を行う。
【００４６】
従って、画像形成装置１がカッタ１５を動作させる際には記録媒体１０はオペレータによって把持されているため、裁断された記録媒体１０は落下することはない。
【００４７】
図９は、記録媒体１０が退避部Ｈ４に排出された様子を示す図である。図９に示すように、記録媒体１０は光軸１７Ｃを遮らないため、受光部１７ＢはＯＮ信号を出力する。
【００４８】
画像形成装置１の制御部１８は、受光部１７ＢからＯＮ信号を受信している間はカッタ１５を駆動させず、また後続する画像形成を行なわずに待機状態となる。
【００４９】
図１０は、記録媒体１０が検知部Ｈ３に持ち上げられた状態を示す図である。図１０に示すように、記録媒体１０は光軸１７Ｃを遮るため、受光部１７Ｂは発光部１７Ａの照射光を受光せず、ＯＦＦ信号を出力する。
【００５０】
画像形成装置１の制御部１８は、受光部１７ＢからＯＦＦ信号を受信すると、カッタ１５を駆動させるカッタ駆動部２０５を駆動させてカッタ１５によって記録媒体１０を裁断する。次いで、画像形成装置１の制御部１８は後続する画像形成を行う。
【００５１】
本実施形態の画像形成装置１の構成は図５に示す第１の実施形態の画像形成装置１の構成と同様である。
【００５２】
図１１は、画像形成装置１の動作を示すフローチャートである。図１１に示すように、画像形成装置１は制御部１８によって以下のように動作する。
【００５３】
ステップ７０１において、画像形成装置１は記録媒体１０に画像形成する。
【００５４】
ステップ７０２において、画像形成装置１は、光センサ１７がＯＦＦ、すなわち受光部１７Ｂの出力がＯＦＦ信号であるかを判定する。画像形成装置１は、受光部１７Ｂの出力がＯＦＦ信号であると判定した場合、ステップ７０３に進み、ＯＦＦ信号であると判定しない場合、ステップ７０２に戻る。
【００５５】
ステップ７０３において、画像形成装置１はカッタ駆動部２０５を駆動させることによりカッタ１５を駆動させて記録媒体１０を裁断する。
【００５６】
ステップ７０４において、画像形成装置１は後続する画像形成を行うべき次のページがあるかを判定する。画像形成装置１は、後続する画像形成を行うべき次のページがあると判定した場合、ステップ７０１に戻り、次のページがあると判定しない場合、動作を終了する。
【００５７】
以上のべたように、画像形成装置１は、ロール状に巻かれた記録媒体１０の有無を検知するセンサ１１と、記録媒体１０に画像形成するヘッド１３と、ヘッド１３の記録媒体搬送路を挟み、対抗する位置に配置されるプラテン１４と、画像形成された記録媒体１０を裁断するカッタ１５と、記録媒体排出口１６に記録媒体１０を退避させる退避部を残し、光軸が斜めに記録媒体排出口１６を横切るように記録媒体排出口１６の幅方向両側配置される光センサ１７と、光センサ１７の出力に基づいてカッタ１５を駆動させる制御部１８と、を備える。
【００５８】
従って、画像形成された記録媒体を裁断する際に裁断された記録媒体が落下せず、安価に製造することが可能となるという効果がある。
【００５９】
なお、上述の実施形態においては光センサ１７を記録媒体１０の検知に用いているが、光センサ１７に代えて記録媒体検知部としてアクチュエータを備えるマイクロスイッチを用いてもよい。
【００６０】
この場合の、記録媒体検知部の配置位置と画像形成装置１の動作は上述の説明と同様である。
【００６１】
いくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００６２】
１：画像形成装置
１１：センサ
１３：ヘッド
１４：プラテン
１５：カッタ
１６：記録媒体排出口
１７：光センサ
１８：制御部
【図１】
0006283406.tif 000002
【図２】
0006283406.tif 000003
【図３】
0006283406.tif 000004
【図４】
0006283406.tif 000005
【図５】
0006283406.tif 000006
【図６】
0006283406.tif 000007
【図７】
0006283406.tif 000008
【図８】
0006283406.tif 000009
【図９】
0006283406.tif 000010
【図１０】
0006283406.tif 000011
【図１１】
0006283406.tif 000012